(57)【特許請求の範囲】
【請求項１】
異なる高さに設けられた車（１）が入出庫する複数の乗り込み部（２）と、昇降路（３）内を昇降するケージ（４）と、昇降路に沿ってその両側に多段に設けられた駐車棚（５）と、ケージ上に設けられ棚上の間で車を水平移動させる横行装置（６）と備え、いずれかの乗り込み部でケージ上に車が乗り込み、ケージが上昇して別の乗り込み部で停止し、該乗り込み部から車を出庫できるようになっており、
前記複数の乗り込み部とそれぞれほぼ同一高さの複数のフロア（８）を有する隣接された建屋（９）を備え、
前記横行装置により前記各駐車棚上に車を格納できるとともに、前記乗り込み部の各々から対応する前記フロアへ車が出庫でき、前記複数の乗り込み部の各々へ対応する前記フロアから車が入庫できるようになっている、ことを特徴とする昇降機能付きエレベータパーキング。
【請求項２】
前記乗り込み部には、人が歩行できる固定フロアが設けられている、ことを特徴とする請求項１に記載の昇降機能付きエレベータパーキング。
【請求項３】
前記建屋は、自動車ショールーム用建屋である、ことを特徴とする請求項２に記載の昇降機能付きエレベータパーキング。
【請求項４】
前記ケージ（４）内にロータリーテーブル（７）を内蔵し、入出庫時に車の向きを水平回転させて車を入出庫させる、ことを特徴とする請求項１、２または３に記載の昇降機能付きエレベータパーキング。
【発明の詳細な説明】
【０００１】
【発明の属する技術分野】
本発明は、複数の乗り込み部を有する昇降機能付きエレベータパーキングに関する。
【０００２】
【従来の技術】
図３は、エレベータパーキングの基本形式である下部乗り込み式エレベータパーキングの全体構成図である。この形式のエレベータパーキングでは、車１が入出庫する乗り込み部２が装置の下部（例えば地上）に設けられ、昇降路３内を昇降するケージ４と、昇降路３に沿ってその両側に多段に設けられた駐車棚５を備え、乗り込み部２でケージ上に車１が乗り込み、ケージ４が上昇して所定の棚５で停止し、ケージに組み込まれた横行装置６により、各棚上に車１を格納するようになっている。出庫時にはこの逆動作により、同一の乗り込み部２から車を出庫する。
【０００３】
また、ケージ４内にロータリーテーブル（図示せず）を内蔵し、入出庫時に車の向きを反転させて常に前進で入出庫できるようにしたもの、更に、ケージ４と駐車棚５の向きを車の走行方向に直交する配置にし、ロータリーテーブルを９０°水平回転させて車を入出庫させるようにしたもの、等がある。
【０００４】
図４は、中間乗り込み式のエレベータパーキングの全体構成図である。この形式のエレベータパーキングでは、図３に示した下部乗り込み式と比較すると、装置の中間部に車１が入出庫する乗り込み部２が設けられている点のみが基本的に相違し、その他の構造はほぼ同一である。すなわち、下部乗り込み式と同様に、乗り込み部２でケージ上に車１が乗り込み、ケージ４が昇降して所定の棚５で停止し、ケージに組み込まれた横行装置６により、各棚上に車１を格納するようになっている。出庫時にはこの逆動作により、乗り込み部２から車１を出庫する。
【０００５】
【発明が解決しようとする課題】
上述した従来のエレベータパーキングでは乗り込み部２（出入口）が、下部又は中間部の１ケ所だけに限られており、同一の乗り込み部から入庫しかつ出庫する必要があった。
【０００６】
一方、乗用車の普及に伴い、例えば自動車ディーラーや修理工場、大型駐車場では、建屋内で車を上下に移動する必要があり、この場合に、従来は、車両の入出庫が少ない場合であっても自走式のスロープ、専用エレベータ、等が不可欠となり、設置スペースが大きく、かつコストがかかる問題点があった。
【０００７】
本発明は、かかる問題点を解決するために創案されたものである。すなわち、本発明の目的は、建屋に併設するエレベータパーキングであって、車両の格納のみでなく、複数の乗り込み部を有しその間の車両の昇降機能も有する昇降機能付きエレベータパーキングを提供することにある。
【０００８】
【課題を解決するための手段】
本発明によれば、異なる高さに設けられた車（１）が入出庫する複数の乗り込み部（２）と、昇降路（３）内を昇降するケージ（４）と、昇降路に沿ってその両側に多段に設けられた駐車棚（５）と、ケージ上に設けられ棚上の間で車を水平移動させる横行装置（６）と備え、いずれかの乗り込み部でケージ上に車が乗り込み、ケージが上昇して別の乗り込み部で停止し、該乗り込み部から車を出庫できるようになっており、
前記複数の乗り込み部とそれぞれほぼ同一高さの複数のフロア（８）を有する隣接された建屋（９）を備え、
前記横行装置により前記各駐車棚上に車を格納できるとともに、前記乗り込み部の各々から対応する前記フロアへ車が出庫でき、前記複数の乗り込み部の各々へ対応する前記フロアから車が入庫できるようになっている、ことを特徴とする昇降機能付きエレベータパーキングが提供される。
【０００９】
上記本発明の構成によれば、異なる高さに複数の乗り込み部（２）を備えているので、いずれかの乗り込み部でケージ上に車（１）が乗り込み、ケージ（４）が上昇して別の乗り込み部で停止し、この乗り込み部から車を出庫することにより、その間を車を希望の高さまで昇降させ出庫させることができる。
【００１０】
本発明の好ましい実施形態によれば、前記ケージ（４）内にロータリーテーブル（７）を内蔵し、入出庫時に車の向きを水平回転させて車を入出庫させる。この構成により、複数の乗り込み部（２）の高さが異なる場合でも、ロータリーテーブル（７）で車を水平回転させて、常に前進で車を入出庫させることができる。
【００１１】
また、建屋（９）が自動車ショールーム用建屋、屋上駐車場付きの建屋、傾斜地向け駐車場等であっても、建屋側に自走式のスロープや専用エレベータ、等を設けることなく、車を昇降させることができる。
【００１２】
【発明の実施の形態】
以下、本発明の好ましい実施形態を図面を参照して説明する。
図１は、本発明の昇降機能付きエレベータパーキングの全体斜視図である。この図に示すように、本発明のエレベータパーキング１０は、異なる高さに設けられた複数（この図で３つ）の乗り込み部２を備え、それぞれの乗り込み部２で車１を入出庫できるようになっている。また、このエレベータパーキング１０は、車１を収容するための建屋９に併設される。この建屋９は、複数（３つ）の乗り込み部２とほぼ同一高さにフロア８を有している。
【００１３】
図２は、本発明の昇降機能付きエレベータパーキングの全体構成図である。この図に示すように、本発明のエレベータパーキング１０は、更に、昇降路３内を昇降するケージ４と、昇降路に沿ってその両側に多段に設けられた駐車棚５と、ケージ４上に設けられ棚上の間で車を水平移動させる横行装置６と備える。また、ケージ４内には車１の向きを水平回転させるロータリーテーブル７を内蔵している。
【００１４】
乗り込み部２は、この例では、建屋９の１階、２階、屋上のフロア８に対応した３ケ所が設けられている。また、各乗り込み部２には、建屋９のフロア８に通じる開閉扉（図示せず）が設けられ、装置の作動中の入出庫を防止している。更に、乗り込み部２には、昇降路３以外には、固定フロアが設けられ、入出庫時に使用者が自由に歩行できるようになっている。
【００１５】
この構成により、通常のエレベータパーキングと同様に、ある乗り込み部２でケージ上に車１が乗り込み、ケージ４が上昇して所定の棚５で停止し、ケージ４に組み込まれた横行装置６により、各棚５上に車１を格納し、出庫時にはこの逆動作により、同一の乗り込み部２から車を出庫することができる。なお、この例では、車１の入出庫方向と駐車棚５の向きが直交しているため、入出庫時にロータリーテーブル７で車１の向きを水平回転させることが不可欠であるが、入出庫方向と駐車棚の方向が同一の場合には、ロータリーテーブルを省略することもできる。
【００１６】
また、本発明のエレベータパーキング１０では、異なる高さに複数（１階、２階、屋上）の乗り込み部２を備えているので、いずれか（例えば１階）の乗り込み部２でケージ４上に車１が乗り込み、ケージ４が上昇して別（２階又は屋上）の乗り込み部２で停止し、この乗り込み部２から車１を出庫することができる。
【００１７】
更に、ケージ４内にロータリーテーブル７を内蔵しているので、入出庫時に車１の向きを水平回転させて車１を入出庫させることができ、常に前進で異なる乗り込み部２から入出庫することができる。
【００１８】
なお、本発明は、上述した実施例に限定されず、本発明の要旨を逸脱しない範囲で種々に変更できることは勿論である。例えば、上述の例では、エレベータパーキングが１基だけの場合を説明したが、２基以上を縦列に配置した縦列型エレベータパーキングにも同様に適用することができる。
【００１９】
【発明の効果】
上述したように、本発明の構成によれば、異なる高さに複数の乗り込み部２を備えているので、いずれかの乗り込み部でケージ上に車１が乗り込み、ケージ４が上昇して別の乗り込み部で停止し、この乗り込み部から車を出庫することにより、その間を車を希望の高さまで昇降させ出庫させることができる。従って、建屋９が自動車ショールーム用建屋、屋上駐車場付きの建屋、傾斜地向け駐車場等であっても、建屋側に自走式のスロープや専用エレベータ、等を設けることなく、車を昇降させることができる。
【００２０】
従って、本発明の昇降機能付きエレベータパーキングは、建屋に併設するエレベータパーキングであって、車両の格納のみでなく、複数の乗り込み部を有しその間の車両の昇降機能も有する、等の優れた効果を有する。
【図面の簡単な説明】
【図１】本発明の昇降機能付きエレベータパーキングの全体斜視図である。
【図２】本発明の昇降機能付きエレベータパーキングの全体構成図である。
【図３】従来の下部乗り込み式エレベータパーキングの全体構成図である。
【図４】従来の中間乗り込み式エレベータパーキングの全体構成図である。
【符号の説明】
１  車
２  乗り込み部
３  昇降路
４  ケージ
５  駐車棚
６  横行装置
７  ロータリーテーブル
８  フロア
９  建屋
１０  昇降機能付きエレベータパーキング
【図１】
0004282183.tif 000002
【図２】
0004282183.tif 000003
【図３】
0004282183.tif 000004
【図４】
0004282183.tif 000005